(57)【要約】【課題】固定具のペットケージへの取付けが簡単で、ペットボトルの如き水容器が着脱自在に装着される給水具をバックル機構により容易かつ確実に固定具に着脱することのできるペット用給水具を提供する。【解決手段】基台２及び保持部３を有し、ペットケージ等に取付けられる固定具１と、給水管２４が設けられ、給水容器が着脱自在に取付けられる給水具２０とを備え、固定具１の保持部３又は給水具２０のいずれか一方に案内柱２８及び係止爪３３を有する係止片３２を設けると共に、他方に嵌合部６及び係止部１０を設け、嵌合部６に案内柱２８を挿入すると共に係止部１０に係止片３２の係止爪３３を係止させて、給水具２０を固定具１に着脱自在に取付ける。【選択図】        図１
2004215613.tif 000002
【特許請求の範囲】
【請求項１】
ペットケージ等に取付けられる固定具と、給水管が設けられ、給水容器が着脱自在に装着される給水具とを有し、
該給水具を前記固定具にバックル機構により着脱自在に取付けることを特徴とするペット用給水器。
【請求項２】
基台及び保持部を有し、ペットケージ等に取付けられる固定具と、給水管が設けられ給水容器が着脱自在に装着される給水具とを備え、
前記固定具の保持部又は給水具のいずれか一方に案内柱及び係止爪を有する係止片を設けると共に、他方に嵌合部及び係止部を設け、
前記嵌合部に案内柱を挿入すると共に、係止部に前記係止片の係止爪を係止させて、前記給水具を固定具に着脱自在に取付けるように構成したことを特徴とするペット用給水器。
【請求項３】
前記固定具又は給水具に設けた係止片と対向する面に、該係止片の可動範囲を規制する凸部を設けたことを特徴とする請求項２記載のペット用給水器。
【発明の詳細な説明】
【０００１】
【発明の属する技術分野】
本発明は、ペット用給水器に係り、さらに詳しくは、水が入れられた例えばペットボトルの如き給水容器が着脱可能に取付けられ、ペットケージの金網などに取付けられてペットに給水するペット用給水器に関するものである。
【０００２】
【従来の技術】
この種ペット用給水器の一例として、飲水器と固定座で組成され、飲水器に凸台と２つの位置決め条が形成され、位置決め状の横断面がＴ形とされ、固定座にＣ形の係止リングが形成され、Ｃ形の係止リングが２分の１円より大きく、Ｃ形の係止リングに位置決め条に対応する係止溝が形成され、係止溝の横断面がＴ字形を呈し、飲水器が凸台とＣ形の係止リングの組合せ及び位置決め条と係止溝の組合せにより固定座に組合わされるように構成したものがある（例えば、特許文献１参照）。
【０００３】
【特許文献１】
登録実用新案第３０７７８１９号公報（第３頁、図１〜図３）
【０００４】
【発明が解決しようとする課題】
特許文献１のペット用飲水器は、固定座をペットケージの網に固定するにあたっては、固定座を構成する固定板と本体とによりペットケージの網を挾持し、固定板に設けた２本のボルトを本体に設けた穴にそれぞれ挿通し、本体側から２個のナットにより固定するようにしているので、ペットケージへの取付けがきわめて面倒である。
また、飲水器への給水容器の着脱については全く記載されていないが、図面からみて専用の給水容器を使用しているように考えられる。このため、給水容器が限定され汎用性がない。
【０００５】
さらに、飲水器の固定座への着脱にあたっては、飲水器の下段を直立状として上段を一定角度に傾斜させ、ついで飲水器の上段と係止リングの開口部上方より傾斜させて係止リング内に挿入し、さらに飲水器の位置決め条を係止リングの係止溝に係合させるようにしなければならないので、きわめて面倒であるばかりでなく、ある程度の技術が必要である。
【０００６】
本発明は、上記の課題を解決するためになされたもので、固定具のペットケージ等への取付けが簡単で、ペットボトルの如き給水容器が着脱自在に装着される給水具をバックル機構によりワンタッチで容易かつ確実に固定具に着脱することのできるペット用給水器を提供することを目的としたものである。
【０００７】
【課題を解決するための手段】
（１）本発明に係るペット用給水器は、ペットケージ等に取付けられる固定具と、給水管が設けられ、給水容器が着脱自在に装着される給水具とを有し、該給水具を前記固定具にバックル機構により着脱自在に取付けるようにしたものである。
【０００８】
（２）また、本発明に係るペット用給水器は、基台及び保持部を有し、ペットケージ等に取付けられる固定具と、給水管が設けられ給水容器が着脱自在に装着される給水具とを備え、前記固定具の保持部又は給水具のいずれか一方に案内柱及び係止爪を有する係止片を設けると共に、他方に嵌合部及び係止部を設け、前記嵌合部に案内柱を挿入すると共に、係止部に前記係止片の係止爪を係止させて、前記給水具を固定具に着脱自在に取付けるように構成したものである。
【０００９】
（３）上記（２）の固定具又は給水具に設けた係止片と対向する面に、該係止片の可動範囲を規制する凸部を設けた。
【００１０】
【発明の実施の形態】
［実施の形態１］
図１は本発明の実施の形態１に係るペット用給水器の分解斜視図、図２は図１の固定具に給水具を連結した状態を示す縦断面図、図３は図２の平断面図、図４は図２のＡ−Ａ断面図、図５は固定具への給水具の連結手段を説明するための断面図である。
本実施の形態は、合成樹脂成形品からなりペットケージ等に取付けられる固定具１と、この固定具１をペットケージ等に固定するための固定ねじ部１５と、合成樹脂成形品からなり固定具１に着脱自在に装着される給水具２０とから構成されている。
【００１１】
固定具１は長方形の基台２と給水具２０を保持する保持部３とからなり、基台２の中心部には後面側（以下、固定ねじ部１５側を後面側、給水具２０側を前面側という）に開口し、内周にめねじを有する円筒部４が前面側に突設されている（以下、めねじをねじ穴５という）。そして、この円筒部４の外周には円筒部４より長い四角筒状の嵌合部６が突設されており、その内壁に設けたリブにより円筒部４を補強している。また、上部内壁には内側に向けてリブ７ａ，７ｂが突設されており、これら両リブ７ａ，７ｂの間にはスリット状の溝８が形成されている。
【００１２】
嵌合部６の天板の後面側には係止穴９が開口しており、係止穴９の前面側には係止部１０が形成されている。また、天板の係止穴９の前面側の下面とリブ７ａ，７ｂとの間には、前面側に開口し、後面側に向って下方に傾斜する下向きの凹部１１が設けられており、この凹部１１には後述の給水具２０の係止片３２が挿入される。なお、基台２の後面には、ペットケージ等に取付ける場合に摩擦抵抗を付与するための凹凸部１２が設けられており、また、必要に応じてゴムなどのすべり止め用の弾性体１４（図３参照）を装着するための取付穴１３が設けられている。
【００１３】
固定ねじ部１５は、その外径が固定具１の基台２の長辺の長さとほぼ等しい大きさの基板１６、つまみ１７、及びつまみ１７の反対側において基板１６の中心部から突設され、固定具１に設けたねじ穴４に螺入するねじ１８が設けられている。
【００１４】
給水具２０において、２１は例えばペットボトルの如き給水容器１００（以下、ペットボトルを例にして説明する）が着脱自在に装着される有底円筒状の支持部で、上部に設けた拡径部２２の内壁にはペットボトル１００の給水口に設けたねじが螺入されるねじ２３が設けられている。また、支持部２１の下部の固定具１側には、支持部２１内に連通する給水管２４が斜め下方に向って延設されており、その先端部には、先端部に小孔を有するステンレス管２５がねじ結合され、ステンレス管２５の先端部内にはゴムパッキン２６を介して一部が小孔から露出するボール弁２７が配設されている。
【００１５】
２８は支持部２１の拡径部２２と給水管２４との間において固定具１側に設けられた案内柱で、一方の側に上向きの縦壁３０ａを有するほぼＬ字状の下部案内片２９ａと、他方の側に下向きの縦壁３０ｂを有するほぼ逆Ｌ状の上部案内片２９ｂとからなり、上部案内片２９ｂの上面中央部には、後述の係止片３２の可動範囲を規制する凸部３１が設けられている。
【００１６】
この案内柱２８の上下の高さは、固定具１の嵌合部６の底部の上面とリブ７ａ，７ｂの下面との間の高さとほぼ等しく、縦壁３０ａ，３０ｂの外面間の幅は、嵌合部６の左右の内壁間の幅とほぼ等しく形成されている。なお、上記の説明では、案内柱２８をＬ字状の下部案内片２９ａと逆Ｌ字状の上部案内片２９ｂとによって形成した場合を示したが、案内柱２８は四角筒状あるいは四角柱状のような多角筒、多角柱状に形成してもよく、この場合は、嵌合部６の内壁の形状をこれに対応する多角筒状にすればよい。
【００１７】
３２は大径部２２から案内柱２８と同方向に延設された弾性を有する係止片で、先端部側の上面には係止爪３３が設けられており、この係止爪３３は固定具１に設けた凹部１１から係止穴９に挿入され、係止部１０に係止する。
【００１８】
次に、本実施の形態に係るペット用給水器のペットケージへの取付手順について説明する。
先ず、ペットケージの外側からペットケージを構成する複数の針金に固定具１の基台２を当接すると共に、ペットケージの内側に固定ねじ部１５を位置させてそのねじ１８を固定具１のねじ穴５に螺入し、締付ける。これにより、固定具１を容易にかつ確実にペットケージに取付けることができる（図２、図３、図６参照）。なお、木製のペットケージ等で、これを構成する格子（棒）の径が大きい場合は、固定具１の基台２に設けた取付穴１３に、すべり止め用の弾性体１４を装着することが望ましい。
【００１９】
一方、水が入れられたペットボトル１００の上に給水具２０を下向きにして位置させ、その大径部２２に設けたねじ２３をペットボトル１００の給水口に設けたねじに螺合して取付ける。
そして、１８０°回転してペットボトル１００を下向きにする（図２参照）。これにより、ペットボトル１００内の水は支持部２１から給水管２４内に流入する。このとき、ボール弁２７は水圧によりゴムパッキン２６に押し付けられて小孔を閉塞するので、水が漏れることはない。なお、ペットがボール弁２７を押込むことにより容易に飲水することができる。
【００２０】
次に、図４、図５に示すように、給水具２０の案内柱２８を固定具１の嵌合部６内に挿入する。このとき、上部案内片２９ｂに設けた凸部３１は嵌合部６のリブ７ａ，７ｂ間に設けた溝８内に位置し、また、係止片３２は嵌合部６の天板に設けた凹部１１内に挿入される。ついで、給水具２０を強く押し込むと、係止片３２は弾性変形して前進し、係止爪３３が嵌合部６の係止穴９に達すると元の状態に戻り、係止爪３３が係止部１０に係止する。これにより、給水具２０をワンタッチで固定具１に装着することができ、給水管２４の先端部はペットケージ内に位置する。このときの状態を図６に示す。なお、本発明においては、一方の部材に案内柱及び係止爪を有する係止片を設け、他方の部材に前記案内柱が嵌入する嵌合部及び前記係止片の係止爪が係止する係止部を設け、又は、一方の部材に案内柱及び係止片の係止爪が係止する係止部を設け、他方の部材に前記案内柱が嵌入する嵌合部及び係止爪を有する係止片を設けて、両部材をワンタッチで着脱する構造をバックル機構という。
【００２１】
上記のようにして、給水具２０を固定具１に取付けた状態においては、案内柱２８のＬ字状及び逆Ｌ字状の上下の案内片２９ａ，２９ｂが、図４に示すように、嵌合部６の内壁に当接し又は近接して位置するため、給水具２０の縦方向及び横方向の動揺を防止することができる。
【００２２】
ペットボトルへの水の補填等のため給水具２０を固定具１から取外す場合は、係止片３２を指で圧下して係止爪３３の係止部１０への係止を解除し、給水具２０を手前に引けば、容易に取外すことができる。
ところで、係止片３２を圧下して弾性変形させると、その基部に応力が集中して長期の使用により破損するおそれがあるが、本実施の形態においては、上部案内片２９ｂの上面に設けた凸部３１により係止片３２の圧下量（可動範囲）が規制されるため、基部に生じる応力を小さくすることができ、これにより長期の使用によっても破損することがない。
【００２３】
上記の説明では、固定具１をペットケージに取付けて、給水具２０の給水管２４の先端部をペットケージ内に位置させる場合について説明したが、例えば、給水管２４を支持部２０の横方向又は反対方向に設ければ、ペットケージの外に給水管２４を位置させることができる。なお、固定具１をペットケージに取付ける代りに、取付穴１３を利用するなどして、基台２を直接壁面等に取付けてもよい。
【００２４】
本実施の形態によれば、ペットケージ等への固定具１の取付けがきわめて簡単であり、また、給水具２０をバックル機構によりワンタッチで固定具１に着脱することができ、かつ給水具２０を水平方向に移動させればよいので着脱操作が容易である。さらに、給水容器にはペットボトル１００を使用できるので汎用性に富んだペット用給水器を得ることができる。
【００２５】
［実施の形態２］
図７は本発明の実施の形態２に係るペット用給水器の斜視図、図８は図７の分解斜視図である。なお、実施の形態１と同じ部分にはこれと同じ符号を付し、説明を省略する。
本実施の形態は、実施の形態１の場合と同様に、合成樹脂成形品からなる固定具１と、固定ねじ部１５と、合成樹脂成形品からなり、固定具１にワンタッチで着脱自在に装着される給水具２０とからなっている。
【００２６】
固定具１は、図８、図９に示すようにほぼ逆Ｌ字状に構成され、その垂直片により基台４１が形成されている。また、保持部３を構成する水平片４２の両側の前後方向には案内壁４３ａ，４３ｂが設けられており、後面側の幅方向の中央部には案内柱４４が立設され、その両側には弾性を有し上部の外側に係止爪４６が設けられた係止片４５ａ，４５ｂが立設されている。４４ａは案内柱４４の両側壁に設けられて係止片４５ａ，４５ｂの可動範囲を規制する凸部である。４７は水平片４２の自由端の中央部に設けたＵ字状の切除部である。なお、水平片４２の幅方向の中央部の下面は基台４１に連続して肉厚に形成され（図示せず）、後面側に開口するねじ穴４８が設けられており、また基台４１の後面には凹凸部４９が形成され、両側にはねじ挿通穴５０が設けられている。
【００２７】
給水具２０は、図８、図１０に示すように下部が開口されたほぼ直方体状に形成され、中心部の上下方向には貫通穴５１が設けられており、その上部は拡径されてペットボトル１００の給水口に設けたねじが螺合するねじ５２が設けられている。また、下部には段部５３を介して給水管２４ａの接続口５４が設けられており、この接続口５４の内壁には一方の側又は対向して位置決め用リブ５５が設けられている。
また、外壁の両側（左右側）の前後方向には凹溝５６ａ，５６ｂが設けられており、貫通穴５１の前後に設けた嵌合部５７ａ，５７ｂに連通して凹溝５６ａ，５６ｂの下壁に開口する係止穴５８ａ，５８ｂが設けられ、この係止穴５８ａ，５８ｂと下壁との間に係止部５９ａ，５９ｂが形成されている。なお、給水具２０の左右方向の幅は、固定具１の水平片４２に設けた案内壁４３ａ，４３ｂの内のり間隔とほぼ等しく形成されている。
【００２８】
ステンレス（又は合成樹脂成形品）からなる給水管２４ａは、その基端部がほぼ垂直に折曲げられて下部は斜め下方に延設されており、先端部には実施の形態１の場合とほぼ同様に、ゴムパッキン２６、先端部の小孔から一部が露出するボール弁２７が設けられている。また、基端部の外径は、支持部２１の接続口５４の内径より若干大きく形成され、対向して位置決め用スリット２８が設けられており、基端部は位置決め用スリット２８を位置決め用リブ５５をガイドして接続口５４に圧入され、接続される。
【００２９】
次に、本実施の形態に係るペット用給水器のペットケージへの取付手順について説明する。なお、固定具１のペットケージへの取付手順は実施の形態１の場合同様である。
先ず、給水具２０に取付けられた給水管２４ａを固定具１の上方から切除部４７内に挿入すると共に、給水具２０の一方の嵌合部５７ａを固定具１の案内柱４４及び係止片４５ａ，４５ｂに嵌合し、押込む。
【００３０】
このとき、係止片４５ａ，４５ｂの係止爪４６は、凹溝５６ａ，５６ｂの下壁設けた係止部５９ａによって内側に弾性変形し、その下端部が係止穴５８ａに達すると元の状態に戻り、係止爪４６が係止部５９ａに係止して給水具２０はワンタッチで固定具１に取付けられ、給水管２４ａはペットケージの外側に位置する。このときの状態を図７に示す。
給水具２０を固定具１から取外す場合は、２本の指で係止爪４６を挟んで内側に押圧し、係止部５９ａから離脱させて給水具２０を持ち上げれば、容易に取外すことができる。
本実施の形態においては、固定具１に設けた案内壁４３ａ，４３ｂ及び嵌合部５７ａ（又は５７ｂ）に挿入した案内柱４４により、給水具２０の前後方向及び左右方向の動揺を防止する。
【００３１】
上記の説明では、給水管２４ａをペットケージの外側に位置させた場合を示したが、給水管２４ａをペットケージ側に位置させる場合は、給水具２０を水平方向に１８０°回転して他方の嵌合部５７ｂを案内柱４４及び係止片４５ａ，４５ｂに挿入して取付ければよい。
また、固定具１をペットケージ以外の例えば壁面等に取付ける場合は、固定具１の基台４１に設けたねじ挿通穴５０に挿通したねじを壁面等に螺入し、固定すればよい。
【００３２】
本実施の形態は、上記のように構成したので、固定具１のペットケージ等への取付けが簡単であり、また、給水具２０はバックル機構によりワンタッチで固定具１に着脱できるので、使い勝手のよいペット用給水器を得ることができる。
【００３３】
［実施の形態３］
図１１は本発明の実施の形態３に係るペット用給水器の分解斜視図である。なお、実施の形態１，２と同じ部分にはこれと同じ符号を付し、説明を省略する。
ほぼ逆Ｌ字状の固定具１は垂直片により基台６１が形成され、その後面には凹凸部（図示せず）が、また両側にはねじ挿通穴６８が設けられ、中央部にはねじ穴（図示せず）が設けられている。
【００３４】
また、水平片６２は基台６１側から全長のほぼ３分の１の部分が厚く、それから薄くなって保持部３が形成されており、保持部３の自由端の中央部にはＵ字状の切除部６３が設けられている。そして、切除部６３の両側には、スリット６４を介して、先端部に係止爪６７を有し弾性が付与された係止片６６ａ，６６ｂが設けられており、切除部６３とスリット６４との間には案内柱６５が形成されている。なお、必要に応じて案内柱６５の係止片６６ａ，６６ｂと対向する面に、係止片６６ａ，６６ｂの可動範囲を規制する凸部を設けてもよい。
【００３５】
給水具２０はその高さが固定具１の水平片６２の基部の厚さとほぼ等しく、その幅が基部の幅とほぼ等しい偏平な直方体状に形成され、中心部の上下方向には円筒部７１が設けられてその上部内壁にはペット用ボトル１００の給水口に設けたねじが螺入するねじ７２が設けられており、下部には給水管２４ａが装着されている。７３は前後に開口する嵌合部で、その幅は固定具１の保持部３の基部の幅と、また、高さは基部の高さとそれぞれほぼ等しく形成されている。なお、７３ａ，７３ｂは嵌合部７３の開口部である。７４ａ，７４ｂは嵌合部７３の両側において、嵌合部７３に連通して側壁に設けた係止穴で、その前後には係止部７５が形成されている。
【００３６】
上記のように構成した本実施の形態において、固定具１のペットケージ等への取付けは、実施の形態１の場合と同様である。
給水具２０を固定具１に装着するには、その嵌合部７３の一方の開口部（例えば、７３ａ）を固定具１の側方から保持部３に挿入すると共に、円筒部７１を切除部６３に挿入する。これにより、案内柱６５により円筒部７１を挾持すると共に、係止片６６ａ，６６ｂはその係止爪６７が給水具２０の側壁に押されて内側に弾性変形し、給水具２０をさらに押し込んで係止爪６７が係止穴７４ａ，７４ｂに達すると、係止片６６ａ，６６ｂは元の状態に戻り、係止爪６７が係止部７５に係止し、給水具２０はワンタッチで固定具１に取付けられる。
【００３７】
給水具２０を固定具１から取外す場合は、２本の指で係止爪６７を内側に押圧して係止部７５との係止を解除し、給水具２０を手前に引けば、ワンタッチで取外すことができる。
なお、図には給水管２４ａをペットケージ等の外側に位置させた場合を示したが、嵌合部７３の他方の開口部７３ｂを固定具１の保持部３に挿入すれば、給水管２４ａをペットケージ側に位置させることができる。
【００３８】
本実施の形態においては、固定具１の案内柱６５への給水具２０の嵌合部７３の嵌合、切除部６３への円筒部７１の嵌入及び案内柱６５による円筒部７１の挾持により、給水具２０の前後方向及び左右方向の動揺を防止できる。
本実施の形態は上記のように構成したので、実施の形態１の場合とほぼ同様の効果を得ることができる。
【００３９】
［実施の形態４］
図１２は本発明の実施の形態４に係るペット用給水器の分解斜視図である。なお、実施の形態１，２と同じ部分にはこれと同じ符号を付し、説明を省略する。
ほぼ逆Ｌ字状の固定具１は垂直片により基台８１が形成され、その後面には凹凸部（図示せず）が、また両側にはねじ挿通穴８９が設けられており、また、中央部にはねじ穴（図示せず）が設けられている。
【００４０】
また、水平片８２は基台８１側から全長のほぼ３分の１の部分が厚く、それから段部８３を介して薄くなって保持部３が形成されており、保持部３の自由端の中央部にはほぼＵ字状の切除部８５が設けられている。８６は切除部８５に沿って立設されたほぼＵ字状の案内柱である。８７ａ，８７ｂは案内柱８６の両側において保持部３に立設された弾性を有する係止片で、上部には外方に突出する係止爪８８が設けられている。なお、必要に応じて、案内柱８６の係止片８７ａ，８７ｂと対向する面に、係止片８７ａ，８７ｂの可動範囲を規制する凸部を設けてもよい。
【００４１】
給水具２０はその幅が保持部３の幅とほぼ等しく、下部が開口されて嵌合部を構成する偏平な直方体状に形成され、中心部の上下方向には円筒部９１が設けられてその上部内壁にはペットボトル１００の給水口に設けたねじが螺入するねじ９２が設けられており、下部には給水管２４ａが装着されている。
９３ａ，９３ｂは左右の両側壁に設けた円弧状の凹部で、係止穴９４ａ，９４ｂ（９４ｂは図示せず）が設けられており、その下縁には係止部９５が形成されている。
【００４２】
上記のように構成した本実施の形態において、固定具１のペットケージ等への取付は、実施の形態１の場合と同様である。
給水具２０を固定具１に装着するには、その給水管２４ａ及び円筒部９１を上方から固定具１の案内柱８６内に挿入すると共に、係止片８７ａ，８７ｂに給水具２０を嵌合する。これにより、係止片８７ａ，８７ｂは凹部９３ａ，９３ｂに押されて内側に弾性変形し、給水具２０をさらに押込んで係止爪８８が係止穴９４ａ，９４ｂに達すると係止片８７ａ，８７ｂは元の状態に戻り、係止爪８８が係止部９５に係止し、給水具２０はワンタッチで固定具１に取付けられる。
【００４３】
給水具２０を固定具１から取外す場合は、２本の指で係止爪８８を内側に押圧して係止部９５との係止を解除し、給水具２０を上方に引上げれば、ワンタッチで取外すことができる。
なお、図には給水管２４ａをペットケージ等の外側に位置させた場合を示したが、給水具２０を水平に１８０°回転させて固定具１に装着すれば、給水管２４ａをペットケージ側に位置させることができる。
【００４４】
本実施の形態においては、固定具１の案内柱８６への給水具２０の円筒部９１の挿入、段部８３への給水具２０の後壁の当接により、給水具２０の前後方向及び左右方向の動揺を防止する。
本実施の形態は、上記のように構成したので、実施の形態２の場合とほぼ同様の効果を得ることができる。
【００４５】
【発明の効果】
本発明は、ペットケージ等に取付けられる固定具と、給水管が設けられ、給水容器が着脱自在に装着される給水具とを有し、バックル機構により給水具をワンタッチで容易かつ確実に固定具に取付けるようにしたので、着脱操作がきわめて簡単で使い勝手のよいペット用給水器を得ることができる。
【図面の簡単な説明】
【図１】本発明の実施の形態１に係るペット用給水器の分解斜視図である。
【図２】図１の固定具に給水具を連結した状態を示す縦断面図である。
【図３】図２の平断面図である。
【図４】図２のＡ−Ａ断面図である。
【図５】固定具への給水具の連結手順を示す断面図である。
【図６】実施の形態１に係るペット用給水器をペットケージに取付けた状態を示す斜視図である。
【図７】本発明の実施の形態２に係るペット用給水器の斜視図である。
【図８】図７の分解斜視図である。
【図９】図７の固定具の背面斜視図である。
【図１０】図７の給水具の縦断面図である。
【図１１】本発明の実施の形態３に係るペット用給水器の分解斜視図である。
【図１２】本発明の実施の形態４に係るペット用給水器の分解斜視図である。
【符号の説明】
１  固定具
２  基台
３  保持部
５  ねじ穴
６  嵌合部
７ａ，７ｂ  リブ
９  係止穴
１０  係止部
１１  凹部
１５  固定ねじ部
１８  ねじ
２０  給水具
２３  ペットボトルの装着ねじ
２４  給水管
２８  案内柱
３１  凸部
３２  係止片
３３  係止爪
【図１】
2004215613.tif 000003
【図２】
2004215613.tif 000004
【図３】
2004215613.tif 000005
【図４】
2004215613.tif 000006
【図５】
2004215613.tif 000007
【図６】
2004215613.tif 000008
【図７】
2004215613.tif 000009
【図８】
2004215613.tif 000010
【図９】
2004215613.tif 000011
【図１０】
2004215613.tif 000012
【図１１】
2004215613.tif 000013
【図１２】
2004215613.tif 000014